【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】
道路上に設定されたサービス区間に存在する事象について、当該サービス区間での事象の位置と、事象の内容とをサービス情報として道路側インフラから受信するとともに、当該受信したサービス情報を表示する情報表示システムにおいて、
前記道路側インフラから送信されたサービス情報を受信する通信装置と、
前記受信したサービス情報に基づいて、サービス区間に存在する事象に対応したシンボルを決定するとともに、当該決定されたシンボルを表示させる位置とタイミングとを制御するコンピュータと、
前記コンピュータからの出力に応じて、前記シンボルを表示する表示装置とを有し、
前記コンピュータは、前記サービス区間に存在する事象のうち、車両の位置と前記サービス区間の終了位置との間に存在するすべての事象に対応したシンボルを第１の表示対象シンボルとして、第１の表示領域に表示するように前記表示装置を制御するとともに、
前記サービス区間に存在する事象を対象として、前記事象の位置と前記事象の内容とに基づいて、当該事象に対応したシンボルを前記第１の表示領域とは異なる第２の表示領域に表示させる表示タイミングを算出し、当該算出された表示タイミングに対応する位置への車両の到達とタイミングを同期して、当該表示タイミングに対応するシンボルを第２の表示対象シンボルとして、前記第１の表示対象シンボルの表示サイズよりも大きな表示サイズで前記第２の表示領域に表示するように前記表示装置を制御することを特徴とする情報表示システム。
【請求項２】
前記コンピュータは、車両が事象を通過するまで当該事象に対応するシンボルを第１の表示対象シンボルとして前記第１の表示領域に表示するように制御するとともに、車両が事象を通過するまで当該事象に対応するシンボルを第２の表示対象シンボルとして前記第２の表示領域に表示するように制御すること特徴とする請求項１に記載された情報表示システム。
【請求項３】
前記コンピュータは、前記第１の表示対象シンボルの表示位置を、前記サービス区間内での車両の位置と前記サービス区間での事象の位置とに対応付けて表示するように制御することを特徴とする請求項１または２に記載された情報表示システム。
【請求項４】
前記コンピュータは、前記第２の表示対象シンボルとして表示させるシンボルが２つ以上存在する場合には、当該シンボルのそれぞれを階層的に、かつ、互いの位置をオフセットさせて表示するように制御するとともに、最前面に表示されるシンボルから最後面に表示されるシンボルへの階層的な並びが、シンボルに対応する事象のそれぞれに車両が到達する順序に対応付けて表示するように制御することを特徴とする請求項１から３のいずれかに記載された情報表示システム。
【請求項５】
前記コンピュータは、最後面に表示されるシンボルの表示サイズを、最前面に表示されるシンボルの表示サイズよりも小さく表示するように制御することを特徴とする請求項４に記載された情報表示システム。
【請求項６】
前記コンピュータは、前記第２の表示領域において表示可能なシンボルの数の上限値を規定するとともに、前記第２の表示対象シンボルの数が前記上限値よりも多い場合には、前記表示タイミングに対応するサービス区間での位置が車両の位置に近いものから順に前記上限値分の前記シンボルを、前記第２の表示対象シンボルから選択して表示するように制御することを特徴とする請求項１から５のいずれかに記載された情報表示システム。
【請求項７】
前記コンピュータは、前記第２の表示領域において、前記最後面に表示されるシンボルから前記最前面に表示されるシンボルにかけての並び方向と、前記第１の表示領域において、前記第１のシンボルとして表示されるシンボルの時系列的な並び方向との始点或いは終点が一致するように制御することを特徴とする請求項１から６のいずれかに記載された情報表示システム。
【請求項８】
前記コンピュータは、前記第２の表示領域において、前記最後面に表示されるシンボルから前記最前面に表示されるシンボルの時系列的な並び方向と、前記第１の表示領域において、前記第１のシンボルとして表示されるシンボルの時系列的な並び方向とを対応させて表示するように制御することを特徴とする請求項１から７のいずれかに記載された情報表示システム。
【請求項９】
道路上に設定されたサービス区間に存在する事象について、当該サービス区間での事象の位置と、事象の内容とをサービス情報として道路側インフラから受信するとともに、当該受信したサービス情報を表示する情報表示システムにおいて、
前記道路側インフラから送信されたサービス情報を受信する通信装置と、
前記受信したサービス情報に基づいて、サービス区間に存在する事象に対応したシンボルを決定するとともに、当該決定されたシンボルを表示させる位置とタイミングとを制御するコンピュータと、
前記コンピュータからの出力に応じて、前記シンボルを表示する表示装置とを有し、
前記コンピュータは、前記サービス区間に存在する事象のうち、車両の位置と前記サービス区間の終了位置との間に存在するすべての事象に対応したシンボルを第１の表示対象シンボルとして、第１の表示領域の表示するように前記表示装置を制御するとともに、
前記サービス区間に存在する事象を対象として、前記事象の位置と内容とに基づいて、当該事象に対応したシンボルを前記第１の表示領域とは異なる第２の表示領域に表示させる表示タイミングを算出し、前記表示タイミングの早い順に所定数の事象を階層的に前記第２の表示領域に表示するように前記表示装置を制御することを特徴とする情報表示システム。
【請求項１０】
道路上に設定されたサービス区間に存在する事象について、当該事象の前記サービス区間内での位置と、前記事象の内容とをサービス情報として道路側インフラから受信するとともに、当該受信したサービス情報に基づいて、前記事象の内容に対応するシンボルを表示装置に表示させる情報表示方法において、
前記サービス区間に存在する事象のうち、車両の位置と前記サービス区間の終了位置との間に存在するすべての事象に対応したシンボルを第１の表示対象シンボルとして、第１の表示領域に表示する第１のステップ、
前記サービス区間に存在する事象を対象として、前記事象の位置と前記事象の内容とに基づいて、当該事象に対応したシンボルを前記第１の表示領域とは異なる第２の表示領域に表示させる表示タイミングを算出する第２のステップと、
前記算出された表示タイミングに対応する位置への車両の到達とタイミングを同期して、当該表示タイミングに対応するシンボルを第２の表示対象シンボルとして、前記第１の表示対象シンボルの表示サイズよりも大きな表示サイズで前記第２の表示領域に表示する第３のステップと
を有することを特徴とする情報表示方法。
【請求項１１】
前記第１のステップは、車両が事象を通過するまで、当該事象に対応するシンボルを第１の表示対象シンボルとして前記第１の表示領域に表示し、
前記第３のステップは、車両が事象を通過するまで、当該事象に対応するシンボルを第２の表示対象シンボルとして前記第２の表示領域に表示すること特徴とする請求項１０に記載された情報表示方法。
【請求項１２】
前記第１のステップは、前記第１の表示対象シンボルの表示位置を、前記サービス区間内での車両の位置と前記サービス区間での事象の位置とに対応付けて表示することを特徴とする請求項１０または１１に記載された情報表示方法。
【請求項１３】
前記第３のステップは、前記第２の表示対象シンボルとして表示させるシンボルが２つ以上存在する場合には、当該シンボルのそれぞれを階層的に、かつ、互いの位置をオフセットさせて表示するとともに、最前面に表示されるシンボルから最後面に表示されるシンボルへの階層的な並びが、シンボルに対応する事象のそれぞれに車両が到達する順序に対応付けて表示することを特徴とする請求項１０から１２のいずれかに記載された情報表示方法。
【請求項１４】
道路上に設定されたサービス区間に存在する事象について、当該サービス区間での事象の位置と、事象の内容とをサービス情報として道路側インフラから受信するとともに、当該受信したサービス情報を表示する情報表示システムにおいて、
前記道路側インフラから送信されたサービス情報を受信する通信装置と、
前記受信したサービス情報に基づいて、サービス区間に存在する事象に対応したシンボルを決定するとともに、当該決定されたシンボルを表示させる位置とタイミングとを制御するコンピュータと、
前記コンピュータからの出力に応じて、前記シンボルを表示する表示装置とを有し、
前記コンピュータは、表示させる前記シンボルが２つ以上存在する場合には、当該シンボルのそれぞれを階層的に、かつ、互いの位置をオフセットさせて表示するように制御するとともに、最前面に表示されるシンボルから最後面に表示されるシンボルへの階層的な並びが、シンボルに対応する事象のそれぞれに車両が到達する順序に対応付けて表示するように制御することを特徴とする情報表示システム。